(57)【要約】【課題】  専用の制御装置を必要とせずに、エコーキャンセラーの性能を向上させることができる高性能ＩＰ電話機と、コストダウン可能なＩＰ電話機に対応することができるＩＰ電話装置および制御方法を提供することを目的とする。【解決手段】  ドッキング検出手段１０６によってオプションユニット２０が本体ユニット１０に接続されたことが検出された場合、コントローラー１００は、記憶手段１０７に記憶されている音声処理のパラメータを呼び出し、呼び出した音声処理のパラメータに設定を変更し、アコースティック・エコーキャンセラー１０２、アコースティック・エコーキャンセラー２０１、およびライン・エコーキャンセラー２００による最適な音声処理を行う。【選択図】      図２
2007124255.tif 000002
【特許請求の範囲】
【請求項１】
通信手段と、
音声処理のパラメータを記憶した記憶手段と、
オプションユニットの接続を検出する検出手段と、
第１の音声出力手段と、
第１の音声入力手段と、
第１の音声処理手段を備えた制御手段とを有する本体ユニットと、
第２の音声出力手段と、第２の音声入力手段と、第２の音声処理手段とを有する前記本体ユニットに接続可能なオプションユニットと、
を具備するＩＰ電話装置であって、
前記検出手段によって前記オプションユニットが前記本体ユニットに接続されたことが検出された場合、前記制御手段は、前記記憶手段に記憶されている音声処理のパラメータを呼び出し、呼び出した音声処理のパラメータに設定を変更し、第１の音声処理手段および第２の音声処理手段による最適な音声処理を行うことを特徴とするＩＰ電話装置。
【請求項２】
請求項１に記載のＩＰ電話装置において、
前記制御装置によって、前記音声処理のパラメータに設定を変更する場合、音声の入出力をオプションユニットが備える第２の音声出力手段および第２の音声入力手段に切り換えることを特徴とするＩＰ電話装置。
【請求項３】
請求項１に記載のＩＰ電話装置において、
前記第１の音声処理手段は、アコースティック・エコーキャンセラーであることを特徴とするＩＰ電話装置。
【請求項４】
請求項１に記載のＩＰ電話装置において、
前記第２の音声処理手段は、アコースティック・エコーキャンセラーであり、また、必要に応じてライン・エコーキャンセラーを含むことを特徴とするＩＰ電話装置。
【請求項５】
請求項１に記載のＩＰ電話装置において、
前記第１の音声出力手段はスピーカー、前記第１の音声入力手段はマイクであり、前記第２の音声出力手段は、スピーカー、前記第２の音声入力手段はマイクであり、または、第２の音声出力手段および第２の音声入力手段は、スピーカーとマイクを内蔵したハンドセットであることを特徴とするＩＰ電話装置。
【請求項６】
請求項３または４に記載のＩＰ電話装置において、
前記音声処理のパラメータに設定を変更し、第１の音声処理手段および第２の音声処理手段による最適な音声処理を行う場合、前記制御手段は、第１の音声処理手段のアコースティック・エコーキャンセラーと第２の音声処理手段のアコースティック・エコーキャンセラーとの打ち消し時間の合計した打ち消し時間を用いて制御を行うことを特徴とするＩＰ電話装置。
【請求項７】
請求項５に記載のＩＰ電話装置において、
前記スピーカーとマイクとは、音響結合の小さい組み合わせを用いることを特徴とするＩＰ電話装置。
【請求項８】
通信手段と、音声処理のパラメータを記憶した記憶手段と、オプションユニットの接続を検出する検出手段と、
第１の音声出力手段と、第１の音声入力手段と、第１の音声処理手段を備えた制御手段とを有する本体ユニットと、第２の音声出力手段と、第２の音声入力手段と、第２の音声処理手段とを有する前記本体ユニットに接続可能なオプションユニットとを具備するＩＰ電話装置の制御方法であって、
前記検出手段によって前記オプションユニットが前記本体ユニットに接続されたか否かを判別する判別ステップと、
前記判別ステップにより、前記オプションユニットが前記本体ユニットに接続されたと判別された場合、前記制御手段により、前記記憶手段に記憶されている音声処理のパラメータを呼び出し、呼び出した音声処理のパラメータに設定を変更し、第１の音声処理手段および第２の音声処理手段による最適な音声処理を行う制御ステップと、
を含むことを特徴とする制御方法。
【請求項９】
請求項８に記載の制御方法において、
前記制御ステップにより、前記音声処理のパラメータに設定を変更する場合、音声の入出力をオプションユニットが備える第２の音声出力手段および第２の音声入力手段に切り換えることを特徴とする制御方法。
【発明の詳細な説明】
【技術分野】
【０００１】
本発明は、ＩＰ電話装置をオプションユニットを接続することで性能を向上させたＩＰ電話装置および制御方法に関する。
【背景技術】
【０００２】
ＩＰ電話機において、音声が反響する場合等に対応するエコーキャンセラーの性能を向上させるために、専用の制御装置を設けて、ＡＧＣ（オート・ゲイン・コントロール）のレベル制御を行う技術が開示されている（特許文献１参照）。
【特許文献１】特開平９−１７２４８５号公報
【発明の開示】
【発明が解決しようとする課題】
【０００３】
しかしながら、上述した技術では、専用の制御装置を設けて、ＡＧＣのレベル制御を行う必要があり、コストアップや回路面積の増大等の課題がある。また、ＩＰ電話機においては、コストダウンのニーズと、より高性能な機種へのニーズとが存在している現状がある。
【０００４】
本発明は上述の事情を考慮してなされたものであり、専用の制御装置を必要とせずに、エコーキャンセラーの性能を向上させることができる高性能ＩＰ電話機と、コストダウン可能なＩＰ電話機に対応することができるＩＰ電話装置および制御方法を提供することを目的とする。
【課題を解決するための手段】
【０００５】
上記目的を達成するために、本願発明の一態様によれば、通信手段と、音声処理のパラメータを記憶した記憶手段と、オプションユニットの接続を検出する検出手段と、第１の音声出力手段と、第１の音声入力手段と、第１の音声処理手段を備えた制御手段とを有する本体ユニットと、第２の音声出力手段と、第２の音声入力手段と、第２の音声処理手段とを有する前記本体ユニットに接続可能なオプションユニットと、を具備するＩＰ電話装置であって、前記検出手段によって前記オプションユニットが前記本体ユニットに接続されたことが検出された場合、前記制御手段は、前記記憶手段に記憶されている音声処理のパラメータを呼び出し、呼び出した音声処理のパラメータに設定を変更し、第１の音声処理手段および第２の音声処理手段による最適な音声処理を行うことを特徴とするＩＰ電話装置が提供される。［請求項２］請求項１に記載のＩＰ電話装置において、前記制御装置によって、前記音声処理のパラメータに設定を変更する場合、音声の入出力をオプションユニットが備える第２の音声出力手段および第２の音声入力手段に切り換えることを特徴とするＩＰ電話装置が提供される。
【発明の効果】
【０００６】
本発明によれば、専用の制御装置を必要とせずに、エコーキャンセラーの性能を向上させることができる高性能ＩＰ電話機と、コストダウン可能なＩＰ電話機に対応することができるＩＰ電話装置および制御方法を提供することが可能である。
【発明を実施するための最良の形態】
【０００７】
以下、図面を参照して本発明の実施形態を説明する。
【０００８】
図１は、本発明の一実施形態に係るＩＰ電話装置のシステム構成を示す斜視図である。このＩＰ電話装置は、本体ユニット１０と、オプションユニット２０とからなる構成となっている。
【０００９】
本体ユニット１０は、カメラ１１と、音声入力手段としてマイク１２と、音声出力手段としてスピーカー１３と、通信手段として例えばＬＡＮコネクタ１４とを備える。ＬＡＮコネクタ１４には、ＬＡＮケーブル１４ａが接続され、ＩＰ電話装置を利用することができる。
【００１０】
さらに、本体ユニット１０には、オプションユニット２０を接続することができる。オプションユニット２０は、音声入力手段および音声出力手段としてハンドセット２１と、音声出力手段としてスピーカー２２と、音声入力手段としてマイク２３と、各種プッシュボタン２４とを備える。なお、スピーカー２２およびマイク２３は、本体ユニット１０が備えるスピーカー１３およびマイク１２よりも性能の高いものを搭載する。また、スピーカーとマイクとは、音響結合の小さい組み合わせを用いる。
【００１１】
図２は、本体ユニット１０にオプションユニット２０を接続した状態を示すブロック図である。
【００１２】
本体ユニット１０は、コントローラー１００と、オプションユニット２０の接続を検出するドッキング検出手段１０６と、ＬＡＮコネクタ１４に接続されるＬＡＮを制御するＬＡＮコントローラー１４ｂと、スピーカー１３と、マイク１２とから構成されている。
【００１３】
コントローラー１００は、ＬＡＮコントローラー１４ｂからの信号をスイッチングするVoice Switch１０１、Voice Switch１０１を経由した信号のエコーキャンセルを行うアコースティック・エコーキャンセラー（ＡＥＣ）１０２、アコースティック・エコーキャンセラー１０２によって処理されたデジタル信号をアナログ信号に変換するＤ／Ａコンバータ１０４、Ｄ／Ａコンバータ１０４で変換されたアナログ信号を出力するスピーカー１３、音声を入力するマイク１２、マイク１２で入力されたアナログ信号をデジタル信号に変換するＡ／Ｄコンバータ１０５、音声系のパラメータ等を記憶する記憶手段１０７、コントローラー１００の制御を行うＣＰＵ１０３から構成されている（アコースティック・エコーキャンセラー１０２を第１の音声処理手段とする）。
【００１４】
オプションユニット２０は、本体ユニット１０とドッキング後に使用可能となるスピーカー２２、マイク２３、アコースティック・エコーキャンセラー２０１、ライン・エコーキャンセラー２００を備えている（アコースティック・エコーキャンセラー２０１、さらに必要に応じてライン・エコーキャンセラー２００を第２の音声処理手段とする）。
【００１５】
次に、本発明のＩＰ電話装置に係る制御方法について図面を参照して説明する。図３は、ＩＰ電話装置の制御方法について示したフローチャートである。
【００１６】
ＩＰ電話装置の本体ユニット１０のコントローラー１００は、オプションユニット２０が接続されたか否かの判別を行う（ステップＳ１）。コントローラー１００によってオプションユニット２０が接続されと判別された場合は（ステップＳ１のＹＥＳ）、記憶手段１０７から音声系のパラメータを読み出す（ステップＳ２）。そして、読み出したパラメータに変更する（ステップＳ３）。
【００１７】
上述のように、オプションユニット２０が接続され、音声系のパラメータが変更されると、本体ユニット１０のアコースティック・エコーキャンセラー１０２とオプションユニット２０のアコースティック・エコーキャンセラー２０１とが結合され、１つの統合アコースティック・エコーキャンセラーとして機能する。
【００１８】
すなわち、本体ユニット１０内を流れている音声信号は、統合アコースティック・エコーキャンセラー（本体ユニット１０のアコースティック・エコーキャンセラー１０２およびオプションユニット２０のアコースティック・エコーキャンセラー２０１）を経由後、ライン・エコーキャンセラー２００を経由して、音声処理されることになる。例えば、アコースティック・エコーキャンセラー１０２の１つを用いていた場合と比べて、オプションユニット２０のアコースティック・エコーキャンセラー２０１が結合された統合アコースティック・エコーキャンセラーを経由させることで、２つのアコースティック・エコーキャンセラー１０２、２０１の打ち消し時間を音声信号に適用させることができ、長い時間のエコーを打ち消すことが出来るようになる。また、本体ユニット１０には内蔵されていないライン・エコーキャンセラー２００も適用することができるので、さらに音声信号の質を向上することができる。
【００１９】
なお、音声系のパラメータは、例えば、以下のようなパラメータが挙げられるが、これに限定されるものではない。
【００２０】
(１)エコーキャンセラーの打ち消し量が増えるので、VSのロス量を減らす。
【００２１】
例えば、１２[dB]から２[dB]。ここで言うx[dB]はロス量なので、値が小さくなると音量が上がる。
【００２２】
上述したパラメータの変更により、同時通話性が上がり、相手の音声の途切れ感が減る。より相手の音声が聞きやすくなり、通話がしやすくなる。
【００２３】
(２)送受話ゲインを上げる。
【００２４】
例えば、０[dB]から６[dB]。
【００２５】
ここでいうx[dB]はゲインなので、値が大きくなると音量が上がる。
【００２６】
上述したパラメータの変更により、音量が上がるので、より相手の音声が聞きやすくなり、通話がしやすくなる。
【００２７】
(３)ボリューム幅を増やす。
【００２８】
例えば、２１[steps]/４０[dB]から２４[steps]/４６[dB]。
【００２９】
上述したパラメータの変更により、ボリュームの可変幅が広がるので、ユーザーはより適切なボリュームにあわせることができる。
【００３０】
（４）その他には、送受話のバランス調整、無音状態とするしきい値設定、ＶＳのロス量の変更（ＶＳのロス量を低減し、同時通話感を向上させる）等が挙げられる。
【００３１】
以上、上述した実施形態を用いることにより、ＩＰ電話装置を本体ユニットとオプションユニットに分けることができる構成とし、専用の制御装置を必要とせずに、エコーキャンセラーの性能を向上させることができる高性能ＩＰ電話機と、コストダウン可能なＩＰ電話機に対応することができるＩＰ電話装置および制御方法を提供することができる。
【００３２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３３】
【図１】本発明の一実施形態に係るＩＰ電話装置のシステム構成を示す斜視図。
【図２】本発明の一実施形態に係るＩＰ電話装置である本体ユニットにオプションユニットを接続した状態を示すブロック図。
【図３】本発明の一実施形態に係るＩＰ電話装置を適用した制御方法について示したフローチャート。
【符号の説明】
【００３４】
１０…本体ユニット、１１…カメラ、１２…マイク、１３…スピーカー、１４…ＬＡＮコネクタ、１４ａ…ＬＡＮケーブル、１４ｂ…ＬＡＮコントローラー、２０…オプションユニット、２１…ハンドセット、２２…スピーカー、２３…マイク、２４…各種プッシュボタン、１００…コントローラー、１０２…アコースティック・エコーキャンセラー、１０２．２０１…アコースティック・エコーキャンセラー、１０３…ＣＰＵ、１０４…Ｄ／Ａコンバータ、１０５…Ａ／Ｄコンバータ、１０６…ドッキング検出手段、１０７…記憶手段、２００…ライン・エコーキャンセラー、２０１…アコースティック・エコーキャンセラー。
【図１】
2007124255.tif 000003
【図２】
2007124255.tif 000004
【図３】
2007124255.tif 000005